Podtech/llm-jp-corpus-v4-ja_patent huggingface dataset:
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
シロ−イノシトールを含む、対象の双極性障害を治療するための医薬組成物。
【請求項２】
前記シロ−イノシトールは、対象の脳中のミオ−イノシトールレベルを減少させるのに有効な量である、請求項１に記載の医薬組成物。
【請求項３】
前記医薬組成物は、治療的に有効な治療期間、前記患者に投与され、ここで、該組成物の投与が、患者の脳中のミオ−イノシトールレベルを投与前のベースライン測定値から減少させる、請求項２に記載の医薬組成物。
【請求項４】
前記有効な量のシロ−イノシトールが、１日あたり１２５ｍｇ〜９００ｍｇである、請求項２又は３に記載の医薬組成物。
【請求項５】
前記医薬組成物が、１日に２回投与される、請求項４に記載の医薬組成物。
【請求項６】
前記ミオ−イノシトールレベルを、投与前のベースライン測定値から２０％〜５０％減少させる、請求項３〜５のいずれか１項に記載の医薬組成物。
【請求項７】
前記治療期間が１２週である、請求項３〜６のいずれか１項に記載の医薬組成物。
【請求項８】
前記双極性障害は、双極性症状又は障害のサブタイプである、請求項１〜７のいずれか１項に記載の医薬組成物。
【請求項９】
前記双極性障害は、Ｉ型双極性障害又はＩＩ型双極性障害である、請求項８に記載の医薬組成物。
【請求項１０】
前記双極性障害は、混合性双極性障害、急速交代型双極性障害、軽躁病、気分循環症、急性躁病、薬物誘発性躁病、又は薬物誘発性軽躁病である、請求項７に記載の医薬組成物。
【請求項１１】
前記医薬組成物は、該組成物の投与の前、後、又は同時に、他の医薬的に活性な化合物を共投与される、請求項１〜１０のいずれか１項に記載の医薬組成物。
【請求項１２】
前記医薬組成物は、神経精神障害を治療するための治療剤と共投与される、請求項１１に記載の医薬組成物。
【請求項１３】
前記医薬組成物は、リチウム、バルプロ酸ナトリウム／バルプロ酸／ジバルプロエクス、カルバマゼピン、ラモトリギン、ガバペンチン、トピラマート及びチアガビンから選択される気分安定薬抗精神病薬と共投与される、請求項１２に記載の医薬組成物。
【請求項１４】
前記シロ−イノシトールの量が、１投与当たり２５０ｍｇである、請求項５に記載の方法。
【請求項１５】
双極性障害を治療するための医薬の製造におけるシロ−イノシトールの使用。
【請求項１６】
医薬的に許容される補助剤を更に含む、請求項１〜１４のいずれか１項に記載の医薬組成物。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
少なくとも１つの発泡剤と、少なくとも１つの発泡性ポリマー又はその前駆体組成物と、成核剤と、を含み、前記成核剤が、フッ素化オキシランを含み、前記フッ素化オキシランが、合計約４〜約１２個の炭素原子を有する、発泡性組成物。
【請求項２】
少なくとも１つの発泡性ポリマー又はその前駆体組成物と成核剤との存在下で、少なくとも１つの液体若しくは気体状の発泡剤を蒸発させるか、又は少なくとも１つの気体状発泡剤を発生させる工程を含む、ポリマー発泡体を調製するプロセスであって、前記成核剤がフッ素化オキシランを含み、前記フッ素化オキシランが、合計約４〜約１２個の炭素原子を有する、プロセス。
【請求項３】
発泡剤と成核剤とを含み、前記成核剤が、フッ素化オキシランを含み、前記フッ素化オキシランが、合計約４〜約１２個の炭素原子を有する、組成物。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
下式の化合物：
【化１】
2014515406.tif 000001
［式中、
Ｘは、場合により−Ｏ−によって分断されるか又は終端する８個以下の炭素原子を有するアルキレンであり、
Ｒ２は、水素、アルキル、アルコキシアルキレニル、アルキルアミノアルキレニル、又はヒドロキシアルキレニルであり、
Ｐは、アミノ基、保護されたアミノ基、又はＮＨ３＋Ｙ−（式中、Ｙ−は、対アニオンである）であり、
Ａは、ＣＨ又はＮであり、
Ｒは、ハロゲン、ヒドロキシル、アルキル、ハロアルキル、又はアルコキシであり、
ｎは、０〜４の整数である。］
又は、薬学的に許容されるその塩。
【請求項２】
下式：
【化２】
2014515406.tif 000002
で表される、請求項１に記載の化合物又はその塩、又は、薬学的に許容されるその塩。
【請求項３】
請求項１又は２に記載の化合物又はその塩とアルデヒド結合抗原との反応生成物を含む複合体。
【請求項４】
下式：
【化３】
2014515406.tif 000003
［式中、
Ｘは、場合により−Ｏ−によって分断されるか又は終端する８個以下の炭素原子を有するアルキレンであり、
Ｒ２は、水素、アルキル、アルコキシアルキレニル、アルキルアミノアルキレニル、又はヒドロキシアルキレニルであり、
Ａは、ＣＨ又はＮであり、
Ｒは、ハロゲン、ヒドロキシル、アルキル、ハロアルキル、又はアルコキシであり、
ｎは、０〜４の整数であり、
Ｚは、結合又は−Ｃ（Ｏ）−ＮＨ−（ＣＨ２ＣＨ２Ｏ）ｐ−ＣＨ２ＣＨ２−（式中、ｐは１〜５０の範囲である）であり、
Ｎ＊により示される窒素原子は、抗原と共有結合する。］
により表される少なくとも１つのセグメントを有する、抗原の複合体、
又は、薬学的に許容されるその塩。
【請求項５】
薬学的に許容される担体、及び請求項３又は４に記載の複合体の有効量を含む、医薬組成物。
【請求項６】
動物に有効量の複合体又は医薬組成物を投与することによる動物のワクチン接種において使用するための、請求項３又は４に記載の複合体又は請求項５記載の医薬組成物。
【請求項７】
動物に有効量の複合体又は医薬組成物を投与することによる動物におけるサイトカイン生合成の誘導において使用するための、請求項３又は４に記載の複合体又は請求項５記載の医薬組成物。
【請求項８】
請求項１又は２に記載の化合物もしくは塩、アルデヒド結合抗原、及び薬学的に許容される担体を含む組成物。
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
第１グレージング基材と、
前記第１グレージング基材に配置された可視光拡散層と、
前記可視光拡散層に隣接し、複数のプリズム構造を形成する主面を備える、光方向転換層と、
を備える、太陽光方向転換グレージングユニットであって、
前記可視光拡散層及び光方向転換層は、入射する太陽光が前記光方向転換層に接触する前に前記可視光拡散層に接触するように配向される、
太陽光方向転換グレージングユニット。
【請求項２】
第１グレージング基材と、
模様付き可視光拡散層と、
前記可視光拡散層に隣接する光方向転換層と、
を備える、太陽光方向転換グレージングユニットであって、
前記光方向転換層が、複数のプリズム構造を形成する主面を備える、
太陽光方向転換グレージングユニット。
【請求項３】
第１主面及び第２主面を備える第１グレージング基材と、
前記第１グレージング基材の前記第１主面に配置され、複数のプリズム構造を形成する主面を備える、太陽光方向転換層と、
第１主面及び第２主面を備える第２グレージング基材と、
前記第２グレージング基材の前記第１主面に配置された可視光拡散層と、
前記太陽光方向転換層と前記可視光拡散層との間の介在空間と、
を備える、太陽光方向転換グレージングユニット。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
クライアントと通信する方法であって、以下のコンピュータ実装される段階、すなわち：
前記クライアントを特定する通知トークンを受信する段階と；
前記クライアントがサーバーに接続されていないときにメッセージを受信するよう前記クライアントを登録する段階と；
前記登録および前記通知トークンに基づいて、前記クライアントが前記サーバーへの接続をもたないときに前記クライアントに前記メッセージを送信する段階であって、前記メッセージは通知サービスを使って送られる、段階とを含む、
方法。
【請求項２】
前記通知チャネルがハイパーテキスト転送プロトコル・セキュアード（HTTPS:  hypertext  transfer  protocol  secured）チャネルである、請求項１記載の方法。
【請求項３】
前記クライアントを登録する段階が、前記クライアントについて通知チャネル一意リソース位置指定子（URL:  uniform  resource  locator）を記憶することを含む、請求項１記載の方法。
【請求項４】
前記通知チャネルURLを指定するメッセージを受信する段階をさらに含む、請求項３記載の方法。
【請求項５】
前記メッセージが第二のクライアントによって生成される、請求項１記載の方法。
【請求項６】
前記クライアントを友達に対して加入申し込みする段階をさらに含み、前記友達は友達クライアントを有し、前記クライアントが接続されていないときに前記友達クライアントのプレゼンス状態更新を前記クライアントに送るために通知チャネルが使用される、請求項１記載の方法。
【請求項７】
一または複数の友達を含む友達リスト；
サービス；および
ネットワーク
のうちの一つに加入申し込みをする段階を含む、請求項６記載の方法。
【請求項８】
ショルダータップに対応する前記クライアントへの第二のメッセージを送る段階をさらに含み、前記メッセージは前記ショルダータップを含み、前記第二のメッセージがペイロードを含む、請求項１記載の方法。
【請求項９】
クライアントと通信するシステムであって、処理ユニットおよびシステム・メモリを有し、前記システム・メモリは前記処理ユニットに：
前記クライアントを特定する通知トークンを受信する段階と；
前記クライアントがサーバーに接続されていないときにメッセージを受信するよう前記クライアントを登録する段階と；
前記登録および前記通知トークンに基づいて、前記クライアントが前記サーバーへの接続をもたないときに前記クライアントに前記メッセージを送信する段階であって、前記メッセージは通知サービスを使って送られる、段階とを実行させるコードを有している、
システム。
【請求項１０】
処理ユニットに：
クライアントを特定する通知トークンを受信する段階と；
前記クライアントがサーバーに接続されていないときにメッセージを受信するよう前記クライアントを登録する段階と；
前記登録および前記通知トークンに基づいて、前記クライアントが前記サーバーへの接続をもたないときに前記クライアントに前記メッセージを送信する段階であって、前記メッセージは通知サービスを使って送られる、段階とを実行させるためのコンピュータ・プログラム。
【請求項１１】
クライアントと通信する方法であって、以下のコンピュータ実装される段階、すなわち：
前記クライアントを特定する通知トークンを受信する段階と；
前記クライアントと通信するために使われる通知チャネル情報を検出する段階と；
前記通知チャネル情報をサーバーに記憶する段階と；
前記クライアントが前記サーバーにセッションを介して接続されていないときに、前記サーバーではなく通知サービスを介してメッセージを受信するよう前記クライアントを登録する段階と；
前記登録および前記通知トークンに基づいて、前記クライアントが前記サーバーへの接続をもたないときに前記クライアントに前記メッセージを送信する段階であって、前記メッセージは前記通知サービスを使って送られる、段階とを含む、
方法。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
サービスが提供される物理的な空間的位置を追跡するように構成された装置であって、
メッセージを送受信するように動作可能な通信モジュールと、
位置識別器と、
サービスのための位置要求メッセージを送信するように前記通信モジュールに要求するように動作可能なクエリ要素と、
履歴モジュールと、
を備え、
前記通信モジュールが、
前記位置要求メッセージに応答して、前記サービスのための位置情報を含む位置応答メッセージを受信し、
前記サービスの前記位置情報を前記位置識別器に転送する、
ように動作可能であり、
前記位置識別器が、前記サービスの前記位置情報に関連する前記物理的な空間的位置を識別し、前記物理的な空間的位置を記述するデータを前記履歴モジュールに転送するように動作可能であり、
前記履歴モジュールが、識別された物理的な空間的位置を記述するデータと、前記識別された物理的な空間的位置で前記サービスが提供された時刻を示すタイムスタンプとを用いて、サービス提供位置履歴を生成するために、前記サービスのための物理的な空間的位置の履歴追跡記録を作成又は更新するように動作可能である、
装置。
【請求項２】
前記履歴モジュールが、２つ以上の期間にわたる前記サービスの物理的な空間的位置の追跡統計を構築するようにさらに動作可能である、請求項１に記載の装置。
【請求項３】
前記追跡統計が、前記２つ以上の期間にわたって前記位置識別器によって転送された前記データにおいて識別された前記物理的な空間的位置にまたがる前記サービスの統計的分布を含む、請求項２に記載の装置。
【請求項４】
前記追跡統計が、前記２つ以上の期間にわたる前記サービスのメインの物理的な空間的位置を含む、請求項２又は３に記載の装置。
【請求項５】
前記追跡統計の一部分又は全てが、連続した又は周期的な期間に関するデータから構成される、請求項２〜４のいずれか一項に記載の装置。
【請求項６】
前記履歴モジュールが、要求があり次第又は自動的に、追跡統計を構築するようにさらに動作可能である、請求項２〜５のいずれか一項に記載の装置。
【請求項７】
前記識別された物理的な空間的位置が、１つ又は複数の要素を含み、各要素が、プロセッサコア、サーバ、キャビネット、ルーム、データセンタ、ビル、郵便番号、市、及び地理的区域からなる群、から選択される、請求項１〜６のいずれか一項に記載の装置。
【請求項８】
前記位置要求メッセージが、少なくとも１つのＤＮＳ要求又はＳＮＭＰメッセージの少なくとも一部分を含む、請求項１〜７のいずれか一項に記載の装置。
【請求項９】
前記位置情報が、ＩＰアドレスを含む、請求項１〜８のいずれか一項に記載の装置。
【請求項１０】
前記位置識別器が、論理的位置と物理的な空間的位置との間の関連を提供する少なくとも１つのデータベースから前記物理的な空間的位置を記述するデータを取り出すよう構成された、請求項１〜９のいずれか一項に記載の装置。
【請求項１１】
サービスが提供される物理的な空間的位置を追跡するための方法であって、
選択されたサービスのための位置要求メッセージを通信モジュールからコンピュータネットワークへ送信するステップと、
前記通信モジュールにおいて、前記位置要求メッセージに応答して、前記選択されたサービスのための位置情報を含む位置応答メッセージを前記コンピュータネットワークから受信するステップと、
前記位置情報に関連する物理的な空間的位置を識別するステップと、
識別された物理的な空間的位置を記述するデータと、前記識別された物理的な空間的位置で前記サービスが提供された時刻を示すタイムスタンプとを用いて、サービス提供位置履歴を生成するために、前記サービスのための物理的な空間的位置の履歴追跡記録を作成又は更新するステップと、
を含む方法。
【請求項１２】
２つ以上の期間にわたり、前記選択されたサービスの物理的な空間的位置情報の追跡統計を構築するステップ、
をさらに含む、請求項１１に記載の方法。
【請求項１３】
前記位置要求メッセージが、少なくとも１つのＤＮＳ要求又はＳＮＭＰメッセージの少なくとも一部分を含む、請求項１１又は１２に記載の方法。
【請求項１４】
前記位置情報が、ＩＰアドレスを含む、請求項１１〜１３のいずれか一項に記載の方法。
【請求項１５】
前記位置情報に関連する物理的な空間的位置を識別するステップが、
論理的位置と物理的な空間的位置との間の関連を提供する少なくとも１つのデータベースから前記物理的な空間的位置の情報を取り出すサブステップ、
をさらに含む、請求項１１〜１４のいずれか一項に記載の方法。
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
２チャンバガス放電レーザ光源であって、
ハロゲンを含むレージング媒体ガスを含むレーザチャンバを有する主発振器と、
ハロゲンを含むレージング媒体ガスを含むレーザチャンバを有する増幅器と、
規則正しい間隔で発生する注入機会に補給スキームを実行するコントローラを含むガス補給システムであって、該補給スキームが、
固定量の非ハロゲン含有ガスを含むガスを各注入機会に、かつ計算された量のハロゲン含有ガスを少なくとも１つの注入機会中に前記主発振器レーザチャンバに注入する段階、及び
固定量の前記ハロゲン含有ガスを各注入機会に前記増幅器レーザチャンバに注入する段階、
を含む前記ガス補給システムと、
を含むことを特徴とする２チャンバガス放電レーザ光源。
【請求項２】
前記補給スキームは、固定量の前記非ハロゲン含有ガスを各注入機会に前記増幅器レーザチャンバに注入する段階を更に含むことを特徴とする請求項１に記載の２チャンバガス放電レーザ光源。
【請求項３】
前記ハロゲンは、フッ素を含むことを特徴とする請求項１に記載の２チャンバガス放電レーザ光源。
【請求項４】
注入機会のための前記規則正しい間隔は、経過時間及びショットカウントのうちの一方又は両方を含むファクタによって判断されることを特徴とする請求項１に記載の２チャンバガス放電レーザ光源。
【請求項５】
前記主発振器レーザチャンバに注入されるハロゲン含有ガスの量が、該主発振器レーザチャンバにおいて消費されたハロゲンガスの量を推定することによって計算されることを特徴とする請求項１に記載の２チャンバガス放電レーザ光源。
【請求項６】
前記主発振器レーザチャンバにおいて消費されたハロゲンガスの前記量は、エキシマレーザ光源の作動パラメータの変化に基づいて推定されることを特徴とする請求項５に記載の２チャンバガス放電レーザ光源。
【請求項７】
前記作動パラメータは、前記主発振器と増幅器間の放電タイミング差であることを特徴とする請求項６に記載の２チャンバガス放電レーザ光源。
【請求項８】
前記作動パラメータは、前記エキシマレーザ光源の帯域幅であることを特徴とする請求項６に記載の２チャンバガス放電レーザ光源。
【請求項９】
前記作動パラメータは、Ｅ９５であることを特徴とする請求項６に記載の２チャンバガス放電レーザ光源。
【請求項１０】
エキシマレーザ源であることを特徴とする請求項１に記載の２チャンバガス放電レーザ光源。
【請求項１１】
ハロゲンを含むレージング媒体ガスを含むレーザチャンバを各々が有する主発振器及び増幅器を有する２チャンバガス放電レーザ光源においてガスを補給する方法であって、
規則正しい間隔で発生する複数の注入機会を選択する段階と、
固定量の非ハロゲン含有ガスを含むガスを各注入機会に、かつ計算された量のハロゲン含有ガスを少なくとも１つの注入機会中に前記主発振器レーザチャンバに注入する段階と、
固定量の前記ハロゲン含有ガスを各注入機会に前記増幅器レーザチャンバに注入する段階と、
を含むことを特徴とする方法。
【請求項１２】
固定量の前記非ハロゲン含有ガスを各注入機会に前記増幅器レーザチャンバに注入する段階を更に含むことを特徴とする請求項１１に記載のガスを補給する方法。
【請求項１３】
前記ハロゲンは、フッ素を含むことを特徴とする請求項１１に記載のガスを補給する方法。
【請求項１４】
前記複数の注入機会を選択する段階は、経過時間及びショットカウントのうちの一方又は両方を含むファクタに基づいて前記規則正しい間隔を選択する段階を更に含むことを特徴とする請求項１１に記載のガスを補給する方法。
【請求項１５】
前記主発振器レーザチャンバに注入されるハロゲン含有ガスの量を該主発振器レーザチャンバにおいて消費されたハロゲンガスの量を推定することによって計算する段階を更に含むことを特徴とする請求項１１に記載のガスを補給する方法。
【請求項１６】
前記主発振器レーザチャンバにおいて消費されたハロゲンガスの量を推定する段階は、エキシマレーザ光源の作動パラメータの変化に前記推定の基礎を置く段階を更に含むことを特徴とする請求項１５に記載のガスを補給する方法。
【請求項１７】
前記作動パラメータは、前記主発振器と増幅器間の放電タイミング差であることを特徴とする請求項１６に記載のガスを補給する方法。
【請求項１８】
前記作動パラメータは、前記エキシマレーザ光源の帯域幅であることを特徴とする請求項１６に記載のガスを補給する方法。
【請求項１９】
前記作動パラメータは、Ｅ９５であることを特徴とする請求項１６に記載のガスを補給する方法。
【請求項２０】
前記レーザ光源は、エキシマレーザ源であることを特徴とする請求項１１に記載のガスを補給する方法。
【請求項２１】
ハロゲンを含むレージング媒体ガスを含むレーザチャンバを各々が有する主発振器及び増幅器を有する２チャンバガス放電レーザ光源にガスに補給する方法を実施するようにプロセッサによって実行可能なプログラムが具現化された固定コンピュータ可読媒体であって、
前記方法は、
規則正しい間隔で発生する複数の注入機会を選択する段階と、
固定量の非ハロゲン含有ガスを含むガスを各注入機会に、かつ計算された量のハロゲン含有ガスを少なくとも１つの注入機会中に前記主発振器レーザチャンバに注入する段階と、
固定量の前記ハロゲン含有ガスを各注入機会に前記増幅器レーザチャンバに注入する段階と、
を含む、
ことを特徴とする固定コンピュータ可読媒体。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
電界効果トランジスタパッケージであって、
リードフレームと、
前記リードフレーム上にアセンブルされた電界効果トランジスタチップと、
第１の端子と第２の端子と第３の端子とが前記パッケージの１つの側で露出され、前記第１、第２又は第３の端子が前記パッケージの反対側でも露出されるように、前記アセンブルされたトランジスタをパッケージングする封入材料と、
を含む、電界効果トランジスタパッケージ。
【請求項２】
請求項１に記載のトランジスタであって、
前記第１の端子がソース端子であり、前記第２の端子がゲート端子であり、前記第３の端子がドレイン端子である、トランジスタ。
【請求項３】
パワートランジスタパッケージであって、
フラットプレートと、前記プレートから間隔が開けられた同一平面フラットストリップとを含むリードフレームであって、前記プレートが第１の厚みを有し、前記ストリップが前記第１の厚みより小さい第２の厚みを有し、前記プレートと前記ストリップとが端子を有する、前記リードフレームと、
第３の厚みと、１つのチップ側の第１及び第２のコンタクトパッドと、反対のチップ側の第３のコンタクトパッドとを有する電界効果パワートランジスタチップであって、前記第１のパッドが前記プレートに取り付けられ、前記第２のパッドが前記ストリップに取り付けられ、前記第３のパッドが前記端子と同一平面にある、前記電界効果パワートランジスタチップと、
プレートとストリップとの間の前記厚みの差と、チップと端子との間のスペースとを充填する封入化合物であって、前記化合物が、前記プレートと同一平面にある表面と、前記第３のパッド及び前記端子と同一平面にある反対の表面とを有し、前記表面間の距離が前記第１の厚みと第３の厚みとの合計に等しい、前記封入化合物と、
を含む、パワートランジスタパッケージ。
【請求項４】
請求項３に記載のパッケージであって、
前記リードフレームプレートに取り付けられたヒートシンクを更に含む、パッケージ。
【請求項５】
請求項３に記載のパッケージであって、
前記トランジスタのパッドと、前記リードフレームプレートとストリップとの前記取り付けが、はんだ、導電接着剤、ｚ軸導体、カーボンチューブ及びグラフェン（ｒａｐｈｅｍｅ）材料を含むグループから選択される材料の層を含む、パッケージ。
【請求項６】
請求項５に記載のパッケージであって、
前記端子が、はんだ、導電接着剤、ｚ軸導体、カーボンチューブ及びグラフェン材料を含むグループから選択される材料の層によって、前記プレートとストリップとに取り付けられる、パッケージ。
【請求項７】
請求項３に記載のパッケージであって、
前記リードフレームと前記端子とが同じ金属でつくられる、パッケージ。
【請求項８】
請求項３に記載のパッケージであって、
前記リードフレームと前記端子とが異なる金属でつくられる、パッケージ。
【請求項９】
請求項３に記載のパッケージであって、
前記第３のパッドと前記端子とを覆うためにパターニングされた堆積された金属層を更に含む、パッケージ。
【請求項１０】
請求項９に記載のパッケージであって、
前記堆積された層の前記金属が、スズ、銅、銅とニッケルとスズの連続層、銅とニッケルと金の連続層及び耐火金属とアルミニウムの連続層を含むグループから選択される、パッケージ。
【請求項１１】
請求項１０に記載のパッケージであって、
前記堆積された金属層がカスタマイズされたパターンでパターニングされる、パッケージ。
【請求項１２】
請求項３に記載のパッケージであって、
前記パッケージが金属クリップとワイヤとが無い、パッケージ。
【請求項１３】
パワー電界効果トランジスタパッケージを製造するための方法であって、
フラットプレートと、前記プレートから間隔が開けられた同一平面フラットストリップとを含むリードフレームを提供する工程であって、前記プレートが第１の厚みを有し、前記ストリップが前記第１の厚みより小さい第２の厚みを有する、前記リードフレームを提供する工程と、
第３の厚みと、１つのチップ側の第１及び第２のコンタクトパッドと、反対のチップ側の第３のコンタクトパッドとを有する電界効果パワートランジスタチップを提供する工程と、
前記第１のパッドを前記プレートに、前記第２のパッドを前記ストリップに取り付ける工程と、
端子が前記第３のコンタクトパッドと同一平面にあるように、前記端子を前記プレートと前記ストリップとに同時に取り付ける工程と、
プレートとストリップとの間の前記厚みの差と、チップと端子との間のスペースとを封入化合物で充填する工程であって、前記封入化合物が、前記プレートと同一平面にある表面と、前記第３のパッド及び端子と同一平面にある反対の表面とを有し、それによって、チップ、リードフレーム及び端子が、前記第１の厚みと第３の厚みとの合計に等しい厚みを有するパッケージに統合される、前記充填する工程と、
を含む、方法。
【請求項１４】
請求項１３に記載の方法であって、
前記トランジスタのパッドを前記リードフレームプレートと前記リードフレームストリップとに取り付ける工程が、はんだ、導電接着剤、ｚ軸導体、カーボンチューブ及びグラフェン材料を含むグループから選択される材料の層を含む、方法。
【請求項１５】
請求項１４に記載の方法であって、
前記端子を前記リードフレームプレートとリードフレームストリップとに取り付ける工程が、はんだ、導電接着剤、ｚ軸導体、カーボンチューブ及びグラフェン材料を含むグループから選択される材料の層を含む、方法。
【請求項１６】
請求項１５に記載の方法であって、
前記堆積する方法がスクリーン印刷技法を含む、方法。
【請求項１７】
請求項１３に記載の方法であって、
前記第３のパッドと前記端子とを有する前記パッケージ表面上に金属層を堆積する工程と、前記第３のパッドと前記端子とを覆うために前記層をパターニングする工程とを更に含む、方法。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
パッケージされた半導体デバイスであって、
能動回路要素を含む頂部側と底部側とを有する基板と、前記基板の前記底部側の少なくとも１つの裏側金属層とを含む半導体ダイであって、前記裏側金属層が前記半導体ダイの前記底部側に直接的に取り付けられ、前記裏側金属層の或るエリアが前記半導体ダイの前記底部側の或るエリアに整合する、前記半導体ダイと、
モールディング材料内に封止されるダイパッドと複数のリードとを有する、前記モールディング材料を含むパッケージであって、前記複数のリードが、ボンディング部を含む露出された部分を含む、前記パッケージと、
前記半導体ダイの前記頂部側のパッドを前記複数のリードに結合するボンドワイヤと、
を含み、
前記半導体ダイの前記頂部側が前記ダイパッドに取り付けられ、
前記パッケージが、前記パッケージの底部表面に沿って前記裏側金属層を露出させるギャップを含み、
前記ボンディング部と、前記パッケージの前記底部表面に沿った前記モールディング材料と、前記裏側金属層とが、互いに全て実質的に平坦である、デバイス。
【請求項２】
請求項１に記載のデバイスであって、
前記露出された部分が、前記モールディング材料を越えて横方向に伸張し、前記モールディング材料を越えて曲げられ、前記ボンディング部が末端フットを含む、デバイス。
【請求項３】
請求項１に記載のデバイスであって、
前記複数のリードが、前記モールディング材料を越えて伸張しない複数の周辺終端リードを含み、前記複数の周辺終端リードが前記ボンディング部を提供する、デバイス。
【請求項４】
請求項１に記載のデバイスであって、
前記裏側金属層が銅を含む、デバイス。
【請求項５】
請求項１に記載のデバイスであって、
前記裏側金属層が、前記半導体ダイの前記底部側の第１の金属層と、前記第１の金属層上の前記第１の金属層とは異なる少なくとも第２の金属層とを含む、デバイス。
【請求項６】
請求項５に記載のデバイスであって、
前記第１の金属層がチタンを含む、デバイス。
【請求項７】
請求項５に記載のデバイスであって、
前記第１の金属層又は前記第２の金属層がニッケルを含む、デバイス。
【請求項８】
請求項５に記載のデバイスであって、
前記第１の金属層がチタンを含み、前記第２の金属層がニッケルを含み、金又は銀を含む前記第２の金属層上の第３の金属層を更に含む、デバイス。
【請求項９】
請求項１に記載のデバイスであって、
前記パッケージの前記底部表面に沿う前記モールディング材料が全面平坦である、デバイス。
【請求項１０】
電子的アッセンブリであって、
パッケージされた半導体デバイスであって、
側能動回路要素を含む頂部側と底部側とを有する基板と、前記基板の前記底部側の少なくとも１つの裏側金属層とを含む半導体ダイであって、前記裏側金属層が前記半導体ダイの前記底部側に直接的に取り付けられ、前記裏側金属層の或るエリアが前記半導体ダイの前記底部側の或るエリアに整合する、前記半導体ダイと、
モールディング材料を含むパッケージであって、前記パッケージが、前記モールディング材料内に封止される、ダイパッドと複数のリードとを有し、前記複数のリードが、ボンディング部を含む露出された部分を含む、前記パッケージと、
前記半導体ダイの前記頂部側のパッドを前記複数のリードに結合するボンドワイヤと、
を含み、
前記半導体ダイの前記頂部側が前記ダイパッドに取り付けられ、
前記パッケージが、前記パッケージの底部表面に沿って前記裏側金属層を露出させるギャップを含み、
前記ボンディング部と、前記パッケージの前記底部表面に沿った前記モールディング材料と、前記裏側金属層とが、互いに全て実質的に平坦である、
前記パッケージされた半導体デバイスと、
複数の表面パッドを含む印刷回路基板（ＰＣＢ）と、
前記裏側金属層と前記複数のリードの前記ボンディング部とから前記ＰＣＢ上の前記複数の表面パッドの各々へのダイレクトはんだ接続と、
を含む、アッセンブリ。
【請求項１１】
請求項１０に記載の電子的アッセンブリであって、
前記ＰＣＢが多層ＰＣＢを含む、アッセンブリ。
【請求項１２】
電子的アッセンブリを形成する方法であって、
パッケージされた半導体デバイスを提供することであって、前記パッケージされた半導体デバイスが、
能動回路要素を含む頂部側と底部側とを有する基板と、前記基板の前記底部側の少なくとも１つの裏側金属層とを含む、半導体ダイであって、前記裏側金属層が前記半導体ダイの前記底部側に直接的に取り付けられ、前記裏側金属層の或るエリアが前記半導体ダイの前記底部側の或るエリアに整合する、前記半導体ダイと、
モールディング材料を含むパッケージであって、前記パッケージが、前記モールディング材料内に封止される、ダイパッドと複数のリードとを有し、前記複数のリードが、露出された部分を含むボンディング部を含む、前記パッケージと、
前記半導体ダイの前記頂部側のパッドを前記複数のリードに結合するボンドワイヤと、
を含み、
前記半導体ダイの前記底部側が前記ダイパッドに取り付けられ、
前記パッケージが、前記パッケージの底部表面に沿って前記裏側金属層を露出させるギャップを含み、
前記ボンディング部と、前記パッケージの前記底部表面に沿った前記モールディング材料と、前記裏側金属層とが、互いに全て実質的に平坦である、前記パッケージされた半導体デバイスを提供することと、
複数の表面パッドを含む印刷回路基板（ＰＣＢ）に前記パッケージされた半導体デバイスを直接的にはんだ付けすることであって、前記裏側金属層と前記複数のリードの前記ボンディング部とが前記ＰＣＢ上の前記複数の基板パッドの各々にはんだ付けされる、前記パッケージされた半導体デバイスを直接的にはんだ付けすることと、
を含む、方法。
【請求項１３】
請求項１２に記載の方法であって、
前記露出された部分が、前記モールディング材料を越えて横方向に伸張し、前記モールディング材料を越えて曲げられ、前記ボンディング部が末端フットを含む、方法。
【請求項１４】
請求項１２に記載の方法であって、
前記複数のリードが、前記モールディング材料を越えて伸張しない複数の周辺終端リードを含み、前記複数の周辺終端リードが前記ボンディング部を提供する、方法。
【請求項１５】
請求項１２に記載の方法であって、
前記裏側金属層が、前記半導体ダイの前記底部側の第１の金属層と、前記第１の金属層上の前記第１の金属層とは異なる少なくとも第２の金属層とを含む、方法。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
コア層と、
前記コア層の第１の側面に配置された少なくとも１つの導電層であって、前記導電層及び前記コア層が、共に密着接合されて密着回路基板を形成する前記少なくとも１つの導電層と、
前記少なくとも１つの導電層と電気的に接続する複数の接続パッドと、
前記コア層の前記第１の側面の反対側の第２の側面に配置され、前記密着回路基板の一部を形成する誘電体底部層と、
前記少なくとも１つの導電層の最も外側のすぐ上の外側誘電体層であって、前記外側誘電体層が複数の開口部を含み、前記開口部の各々が、前記接続パッドの１つへの電気的アクセスを提供し、前記外側誘電体層が、前記密着回路基板の一部を形成し、ほぼ露出され、かつ前記開口部を除いてほぼ連続的である前記外側誘電体層と、
複数のＬＥＤであって、前記複数のＬＥＤの各々が、前記接続パッドの１つに電気的に接続され、前記接続パッドに電気的に接続される場合に、前記接続パッドをほぼ覆う前記複数のＬＥＤと、
を含む回路基板アセンブリ。
【請求項２】
前記コア層が、アルミニウムを含む、請求項１に記載の回路基板アセンブリ。
【請求項３】
前記コア層の前記第１の側面において前記コア層のすぐ上に誘電体内側層を更に含む、請求項２に記載の回路基板アセンブリ。
【請求項４】
前記コア層が、プリプレグ材料を含む、請求項１に記載の回路基板アセンブリ。
【請求項５】
複数の前記導電層を更に含む、請求項１に記載の回路基板アセンブリ。
【請求項６】
前記導電層の２つの間に設けられた誘電体内側層を更に含む、請求項５に記載の回路基板アセンブリ。
【請求項７】
前記ＬＥＤの１つの上に各々が配置された複数の耐火定格の光学レンズを更に含む、請求項１に記載の回路基板アセンブリ。
【請求項８】
前記接続パッドが、前記導電層と一体的に密着して形成される、請求項１に記載の回路基板アセンブリ。
【請求項９】
前記コア層の前記第２の側面に配置された少なくとも１つの底部導電層を更に含み、
前記コア層、前記導電層及び前記底部導電層が、共に密着接合される、請求項１に記載の回路基板アセンブリ。
【請求項１０】
前記誘電体底部層は、前記少なくとも１つの底部導電層の最も外側のすぐ下に存在する、請求項９に記載の回路基板アセンブリ。
【請求項１１】
前記誘電体底部層が、連続的である、請求項１０に記載の回路基板アセンブリ。
【請求項１２】
前記誘電体底部層が、前記少なくとも１つの底部導電層への電気的アクセスを提供する複数の底部開口部を含む、請求項１０に記載の回路基板アセンブリ。
【請求項１３】
複数の前記導電層が設けられる、請求項９に記載の回路基板アセンブリ。
【請求項１４】
前記導電層の２つの間に設けられた誘電体内側層を更に含む、請求項１３に記載の回路基板アセンブリ。
【請求項１５】
前記複数の接続パッドが、前記上部導電層及び前記底部導電層の少なくとも一方に接合されたはんだを含む、請求項９に記載の回路基板アセンブリ。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
管状光源のための端部キャップであって、前記端部キャップは、
第１の筺体部と、
前記第１の筺体部の外側に少なくとも部分的に配置され、前記ソケットに嵌合するように構成された、２つのコネクタピンと、
スイッチ要素を有するスイッチアセンブリと、
を有し、前記スイッチアセンブリは、前記管状光源が前記固定具に装着されるときに、前記管状光源に対する前記第１の筺体部の相対的な回転運動と組み合わせた、前記スイッチ要素の押下を通して、ソケットと管状光源との間の導電経路を形成するように構成された、端部キャップ。
【請求項２】
前記第１の筺体部に対して回転的に可動である第２の筺体部を更に有し、前記導電経路は、前記スイッチ要素が押下されたときに、前記第１の筺体部に対する前記第２の筺体部の回転を通して形成される、請求項１に記載の端部キャップ。
【請求項３】
前記第２の筺体部は、少なくとも部分的に前記第１の筺体部の内側に配置される、請求項２に記載の端部キャップ。
【請求項４】
前記第２の筺体部に配置され、前記第１の筺体部に対する前記第２の筺体部の相対的な回転を通して前記コネクタピンを受容するように構成された、導電性受容手段を更に有し、前記導電性受容手段は、前記スイッチ要素が押下されたときにのみ、前記コネクタピンと軸方向に整合させられるように構成された、請求項２又は３に記載の端部キャップ。
【請求項５】
少なくとも部分的に前記第１の筺体部の外側に配置された前記スイッチ要素は、２つの前記コネクタピンの間に突出するペグである、請求項乃至のいずれか一項に記載の端部キャップ。
【請求項６】
前記第２の筺体部は、回転方向に作用するばね手段により前記第１の筺体部に接続され、前記ばね手段は、前記第１の筺体部及び前記第２の筺体部の相対的な回転位置をアイドル位置に戻すように構成された、請求項２乃至５のいずれか一項に記載の端部キャップ。
【請求項７】
前記管状光源は前記第２の筺体部に機械的に固定された、請求項２乃至６のいずれか一項に記載の端部キャップ。
【請求項８】
前記導電性受容手段はばねクリップである、請求項４乃至７のいずれか一項に記載の端部キャップ。
【請求項９】
前記コネクタピンは、前記導電性受容手段に接続するよう構成された、より大きな直径を持つ端部を持つ円筒形である、請求項４乃至８のいずれか一項に記載の端部キャップ。
【請求項１０】
複数の発光素子を有する照明部と、
前記照明部の少なくとも一方の端部に配置された、少なくとも１つの請求項１乃至９のいずれか一項に記載の端部キャップと、
を有する管状光源。
【請求項１１】
光を混合するように構成された光学系を更に有する、請求項１０に記載の管状光源。
【請求項１２】
請求項１０又は１１に記載の管状光源と、
少なくとも１つの端部キャップを受容し前記管状光源を電源に接続するための少なくとも１つのソケットを有する固定具と、
を有する照明器具。
【請求項１３】
管状光源のための端部キャップであって、前記端部キャップは、
第１の筺体部と、
前記第１の筺体部の外側に少なくとも部分的に配置され、前記ソケットに嵌合するように構成された、２つのコネクタピンと、
前記第１の筺体部に対して回転的に可動である第２の筺体部と、
を有し、前記第１の筺体部に対する前記第２の筺体部の回転を通して、ソケットと管状光源との間の導電経路が形成される、端部キャップ。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
口腔内可撓性キャリアプレートを処理するためのスキャナであって、前記キャリアプレートはＸ線に曝露され、エンベロープ内に装着された状態で前記スキャナへと搬送され、前記スキャナは包装済みプレートを前記スキャナ内に差し込むための開口部を有するハウジングを有し、前記開口部は、前記開口部が前記エンベロープを前記ハウジングの外部に保持するよう適応される一方で、前記エンベロープから前記プレートが出ることと、前記プレートを前記ハウジング内部に通すこととを可能にするよう適応された、スキャナ。
【請求項２】
口腔内可撓性キャリアプレートを処理するためのスキャナであって、前記キャリアプレートはＸ線に曝露され、エンベロープ内に装着された状態で前記スキャナへと搬送され、前記スキャナは包装済みプレートを前記スキャナ内に差し込むための開口部を有するハウジングを有し、前記開口部は、前記開口部が前記エンベロープを前記ハウジングの外部に保持するよう適応される一方で、前記エンベロープから前記プレートが出ることと、前記プレートを前記ハウジング内部に通すこととを可能にするよう適応され、
前記開口部は差込スロットとして構成され、
前記ハウジングは差込パネルを備え、前記開口部は前記差込パネルに形成され、
前記差込パネルは前記ハウジング上に固定され、
前記左側前部案内表面と前記右側前部案内表面との間の最も狭い距離は、前記包装済みプレートを通すために充分である一方、前記左側後部案内表面と前記右側後部案内表面との間の最も狭い距離は前記キャリアプレートを通すためだけに充分である、
ことを特徴とするスキャナ。
【請求項３】
Ｘ線曝露された後にデジタルＸ線撮影処理のためにスキャナへと搬送されることを意図された口腔内可撓性情報キャリアプレート用のエンベロープであって、前記エンベロープは、前記プレートを内部に封入する区画を画成する前部および後部レイヤを含み、前記エンベロープは突起を含み、前記突起は、包装済みプレートが前記スキャナ内に差し込まれると、前記スキャナの外部に前記エンベロープを保持する一方で、前記エンベロープから前記プレートを退出することと、前記プレートを前記スキャナ内部に通すこととを可能にするよう適応された、エンベロープ。
【請求項４】
Ｘ線曝露された後にデジタルＸ線撮影処理のためにスキャナへと搬送されることを意図された口腔内可撓性情報キャリアプレート用のエンベロープであって、前記エンベロープは、前記プレートを内部に封入する区画を画成する前部および後部レイヤを含み、前記エンベロープは突起を含み、前記突起は、包装済みプレートが前記スキャナ内に差し込まれると、前記スキャナの外部に前記エンベロープを保持する一方で、前記エンベロープから前記プレートを退出することと、前記プレートを前記スキャナ内部に通すこととを可能にするよう適応され、
前記前部レイヤは透明材料製である一方で、前記後部レイヤは不透明材料製であり、前記突起は前記前部レイヤ上に配置され、
前記突起はストリップとして構成され、
前記突起は前記前部レイヤに接着された、
ことを特徴とするエンベロープ。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
血管枝の領域にある動脈瘤の、メッシュ構造（３，４）による閉塞に用いるためのインプラント（１）において、前記インプラントが、近端から遠端にかけて、区画（ａ）から（ｄ）を有し、
区画（ａ）は、前記メッシュ構造が１つまたはいくつかの結合素子（１０）を形成するために合一される、近端にかけて先細りになっている区画、
区画（ｂ）は前記インプラントを血管の壁上に支持することができる固定区画、
区画（ｃ）は前記血管分岐の領域のための浸透性区画、及び
区画（ｄ）は、前記インプラントが前記区画（ｂ）に比較して拡張され、前記動脈瘤（Ａ）内への配置が目的とされている、遠端区画、
であって、
前記区画（ｃ）または区画（ｄ）の領域に分離帯（Ｔ１，Ｔ２）が配されている、
ことを特徴とするインプラント。
【請求項２】
前記遠端区画（ｄ）が、編組によるかまたはループ（１２）により、トランペット様またはバスケット様の形状に外側に広げられていることを特徴とする請求項１に記載のインプラント。
【請求項３】
形状記憶材料を含むことを特徴とする請求項１または２に記載のインプラント。
【請求項４】
前記インプラントが少なくとも一部はチューブから切り開かれることを特徴とする請求項１から３のいずれかに記載のインプラント。
【請求項５】
前記インプラント（１）に対して斜行する平面内に実質的に延びるフィラメント（６）を含む分離素子が前記分離帯（Ｔ１，Ｔ２）に設けられていることを特徴とする請求項１から４のいずれかに記載のインプラント。
【請求項６】
前記分離帯（Ｔ１，Ｔ２）がチューブから切り開かれていることを特徴とする請求項４に記載のインプラント。
【請求項７】
前記近端区画（ａ）が結合ワイヤ（１０）で終端していることを特徴とする請求項１から６のいずれかに記載のインプラント。
【請求項８】
前記遠端区画（ｄ）が、非外傷性で、軟質であり、弾性があるように、構成されていることを特徴とする請求項１から７のいずれかに記載のインプラント。
【請求項９】
前記遠端区画（ｄ）が前記区画（ｃ）に連結された複数のループ（１２）を有することを特徴とする請求項１から８のいずれかに記載のインプラント。
【請求項１０】
前記遠端区画（ｄ）においてアイレット（１７）が前記ループ（１２）に設けられていることを特徴とする請求項９に記載のインプラント。
【請求項１１】
前記遠端区画（ｄ）の前記ループ（１２）に、丸められた嘴先（１８）が遠端に設けられていることを特徴とする請求項９または１０に記載のインプラント。
【請求項１２】
横方向に閉じたチューブ構造を有することを特徴とする請求項１から１１に記載のインプラント。
【請求項１３】
前記インプラントに、部分的にまたは連続的に、スロットが形成されていることを特徴とする請求項１から１２のいずれかに記載のインプラント。
【請求項１４】
前記遠端区画（ｄ）にマーカー素子（８）が配されていることを特徴とする請求項１から１３に記載のインプラント。
【請求項１５】
ガイドワイヤ（９）に結合されていることを特徴とする請求項１から１４に記載のインプラント。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
インターベンション手順中に関心領域におけるインターベンション装置の位置決めを支援する画像表現を提供するための医用イメージング装置であって、
（ｉ）前記関心領域を含むプレライブ解剖学画像のシーケンスを収集するステップと、
（ｉｉ）調節可能なコリメータ装置を有するライブ画像収集装置を用いて、前記コリメータ装置を事前に設定された設定にして、前記関心領域を含むライブ解剖学画像を収集するステップと、
（ｉｉｉ）前記ライブ解剖学画像内の前記インターベンション装置の位置を特定するステップと、
（ｉｖ）前記コリメータ装置を調節済設定にして、前記ライブ画像収集装置を用いて前記関心領域を含む追加ライブ解剖学画像を後に収集するために、前記特定されたインターベンション装置の位置に基づいて前記コリメータ装置の設定を調節するステップと、
（ｖ）前記ライブ解剖学画像からの情報を前記プレライブ解剖学画像の１つに統合することによって前記画像表現を提供するステップであって、前記統合の前に、前記プレライブ解剖学画像及び前記ライブ解剖画像のうち少なくとも１つの時空間変換が実施される、ステップと
を実行する、医用イメージング装置。
【請求項２】
ステップ（ｖｉ）において、前記提供される画像表現において前記特定されたインターベンション装置の位置に隣接する領域が主に前記ライブ解剖学画像に基づいてあらわされ、前記特定されたインターベンション装置の位置から離れた領域は主に前記プレライブ解剖学画像に基づいてあらわされるように、前記ライブ解剖学画像と前記プレライブ解剖学画像が統合される、請求項１に記載の装置。
【請求項３】
連続画像表現を提供するためにステップ（ｉｉ）乃至（ｖ）が連続的に繰り返される、請求項１若しくは２に記載の装置。
【請求項４】
繰り返される前記ライブ解剖学画像の収集において、前記コリメータの設定が、前記ライブ解剖学画像の収集が前記特定されたインターベンション装置の位置に隣接する前記関心領域の部分的非遮蔽領域に制約されるように、調節される、請求項３に記載の装置。
【請求項５】
前記ライブ画像収集装置がＸ線イメージング装置を有し、前記コリメータ装置がＸ線放射線フローを局所的に低減するためのＸ線吸収装置とＸ線減衰装置の少なくとも一つを有し、前記コリメータ装置の設定が前記Ｘ線吸収装置と前記Ｘ線減衰装置の少なくとも一つの位置決めに関連する、請求項１乃至４のいずれか一項に記載の装置。
【請求項６】
ステップ（ｉｉｉ）において、前記インターベンション装置の位置の特定が、現在位置パラメータと運動パラメータに基づく前記インターベンション装置の将来位置についての予測を含む、請求項１乃至５のいずれか一項に記載の装置。
【請求項７】
前記プレライブ画像が前記ライブ画像よりも高い画像コントラストで収集される、請求項１乃至６のいずれか一項に記載の装置。
【請求項８】
前記プレライブ画像が血管造影画像である、請求項１乃至７のいずれか一項に記載の装置。
【請求項９】
前記ライブ画像が蛍光透視画像である、請求項１乃至８のいずれか一項に記載の装置。
【請求項１０】
ステップ（ｉｉｉ）において前記インターベンション装置の位置が、前記ライブ解剖学画像に含まれる位置情報、形状情報及び放射測定内容の分析に基づいて決定される、請求項１乃至９のいずれか一項に記載の装置。
【請求項１１】
高コントラスト画像を収集するためのプレライブ画像収集装置と、
低コントラスト画像を収集するためのライブ画像収集装置であって、調節可能なコリメータ装置を有する、ライブ画像収集装置と、
請求項１乃至１０のいずれか一項に記載の医用イメージング装置と、
前記医用イメージング装置によって提供される前記画像表現を表示するための表示装置と
を有する医用イメージングシステム。
【請求項１２】
インターベンション手順中に関心領域におけるインターベンション装置の位置決めを支援する画像表現を提供するための医用イメージング法であって、
（ｉ）前記関心領域をあらわすプレライブ解剖学画像のシーケンスを収集するステップと、
（ｉｉ）調節可能なコリメータ装置を有するライブ画像収集装置を用いて前記関心領域をあらわすライブ解剖学画像を収集するステップと、
（ｉｉｉ）前記コリメータ装置を事前に設定された設定にして前記ライブ解剖学画像内の前記インターベンション装置の位置を特定するステップと、
（ｉｖ）前記コリメータ装置を調節済設定にして、前記ライブ画像収集装置を用いて前記関心領域をあらわす追加ライブ解剖学画像を後に収集するために、前記特定されたインターベンション装置の位置に基づいて前記コリメータ装置の設定を調節するステップと、
（ｖ）前記ライブ解剖学画像からの情報を前記プレライブ解剖学画像の１つに統合することによって前記画像表現を提供するステップであって、前記統合の前に、前記プレライブ解剖学画像及び前記ライブ解剖画像のうち少なくとも１つの時空間変換が実施される、ステップと
を含む、医用イメージング法。
【請求項１３】
コンピュータ装置上で実行されるときに、請求項１２に記載の方法を実行するように構成されるコンピュータプログラム。
【請求項１４】
請求項１３に記載のコンピュータプログラムを記憶したコンピュータ可読媒体。